【事件の表示】
　特願２００８−　３９３５１「画像表示装置、駆動方法、及び装置駆動用コントローラ」拒絶査定不服審判事件〔平成２０年１１月　６日出願公開、特開２００８−２６８８８６〕について、次のとおり審決する。
【結　論】
　本件審判の請求は、成り立たない。
【理　由】
第１　手続の経緯  
　本願は、平成２０年２月２０日を出願日（優先権主張　平成１９年３月２９日（以下、「優先日」という。）　日本）とする出願であって、平成２４年１０月１８日付けで、明細書及び特許請求の範囲についての補正がなされ（以下、「補正１」という。）、平成２５年５月３０日付けで、明細書及び特許請求の範囲についての補正がなされ（以下、「補正２」という。）、同年６月１３日付けで、補正２の却下の決定がなされるとともに、同日付け（送達日：同年同月２５日）で拒絶査定がなされ、これに対し、同年９月１９日に拒絶査定不服審判が請求されると同時に明細書及び特許請求の範囲についての補正（以下、「本件補正」という。）がなされた。
　　
　　
第２　補正却下の決定
［結論］ 
　本件補正を却下する。
　
［理由］
１　補正の内容
　本件補正は、特許請求の範囲を次のとおり補正するものである。
　
（本件補正前）
「【請求項１】
　複数のゲート線及び複数のソース線がそれぞれ交差し格子状に配置されこのゲート線とソース線との交点それぞれに画素が形成された構成の表示パネルを備えた画像表示装置において、
　前記複数の各ソース線に対応してライン画像部分と黒画像部分を交互に含まれた黒挿入映像信号を前記各ソース線に出力するソース線駆動手段と、
　前記黒挿入映像信号のライン画像部分のみを前記画素に書き込ませるパルス幅の映像表示用ゲートオン信号にして前記各ゲート線に対して順次供給し映像表示走査を実行する映像走査手段と、
　前記黒挿入映像信号の黒画像部分のみを前記画素に書き込ませるパルス幅の黒表示用ゲートオン信号にして前記各ゲート線に対して順次供給し黒画像表示走査を実行する黒走査手段とを備えると共に、
　前記ソース線駆動手段と前記映像走査手段と前記黒走査手段とを駆動制御するコントローラを設け、
　前記黒走査手段は、前記映像走査手段で同時に映像信号と黒画像信号の画素ラインが選択されることのない任意のタイミングで黒画像表示走査を開始する機能を有し、
　前記コントローラは、表示用として入力される入力映像信号における表示時の繰り返しに必要なブランキング期間にも前記黒画像信号を挿入した前記黒挿入映像信号を前記ソース線駆動手段へ出力することを特徴とする画像表示装置。
（略）
【請求項１５】
　複数のゲート線及び複数のソース線がそれぞれ交差し格子状に配置されこのゲート線とソース線との交点それぞれに画素が形成された構成の表示パネルと、前記複数の各ソース線に映像信号を供給するソース線駆動手段と、複数のゲート線を幾つかの群に分けたゲート線群それぞれに対して設けられ前記各ゲート線に対してゲートオン信号を順次供給する複数の映像走査手段と、出力イネーブル信号を前記各映像走査手段へ個別に供給する駆動制御部とを備えた画像表示装置の駆動方法であって、
　ライン画像部分と黒画像部分とが交互に含まれた黒挿入映像信号を前記ソース線駆動手段が前記各ソース線へ供給開始する黒挿入映像信号供給工程と、この黒挿入映像信号供給工程に同期して、前記ライン画像部分書込みのための映像用スタートパルスを映像走査手段が前記駆動制御部から入力する映像用スタートパルス入力工程と、前記黒挿入映像信号のライン画像部分のみを前記画素に書き込ませる映像表示用ゲートオン信号を前記各ゲート線に対して順次供給する映像表示走査を前記映像走査手段から順に実行する映像走査工程と、
　１つの映像走査手段で同時に映像信号と黒画像信号の画素ラインが選択されることのない任意のタイミングに前記黒画像部分書込みのための黒表示用スタートパルスを前記第１の映像走査手段が前記駆動制御部から入力する黒表示用スタートパルス入力工程と、前記黒挿入映像信号の黒画像部分のみを前記画素に書き込ませる黒表示用ゲートオン信号を前記各ゲート線に対して順次供給する黒画像表示走査を前記第１の映像走査手段から順に実行する黒走査工程とを設け、
　前記黒挿入映像信号は、表示用として入力される入力映像信号における表示時の繰り返しに必要なブランキング期間にも前記黒画像信号を維持するようにしたことを特徴とする画像表示装置の駆動方法。
（略）
【請求項２２】
　複数のゲート線及び複数のソース線がそれぞれ交差し格子状に配置されこのゲート線とソース線との交点それぞれに画素が形成された構成の表示パネルを備えた画像表示装置に装備され、
　前記複数のゲート線及び前記複数のソース線がそれぞれ交差し格子状に配置されこのゲート線とソース線との交点それぞれに画素が形成された構成の表示パネルにおける前記各ソース線に映像信号を供給するソース線駆動手段及び前記複数のゲート線を幾つかの群に分けたゲート線群それぞれに対して設けられ対応する各ゲート線にゲートオン信号を順次供給する映像走査手段の各動作を制御するコントローラ本体を備えた画像表示装置駆動用コントローラであって、
　ライン画像部分と黒画像部分とが交互に含まれた黒挿入映像信号を前記ソース線駆動手段から前記各ソース線へ出力させる機能と、
　出力イネーブル信号を前記各映像走査手段へ個別に供給し前記映像走査手段それぞれのゲート出力を独立して制御する機能と、
　前記ライン画像部分書込みのための映像用スタートパルスを第１の映像走査手段へ出力する機能と、
　前記黒画像部分書込みのための黒表示用スタートパルスを１映像フレーム期間内の任意のタイミングに前記第１の映像走査手段へ出力する機能と、
　表示用として入力される入力映像信号における表示時の繰り返しに必要なブランキング期間にも前記黒画像信号を挿入した前記黒挿入映像信号を前記ソース線駆動手段へ出力する機能と、
を備えたことを特徴とする画像表示装置駆動用コントローラ。
（略）」
　
（本件補正後）
「【請求項１】
　複数のゲート線及び複数のソース線がそれぞれ交差し格子状に配置されこのゲート線とソース線との交点それぞれに画素が形成された構成の表示パネルを備えた画像表示装置において、
　前記複数の各ソース線に対応してライン画像部分と黒画像部分を交互に含まれた黒挿入映像信号を前記各ソース線に出力するソース線駆動手段と、
　前記黒挿入映像信号のライン画像部分のみを前記画素に書き込ませるパルス幅の映像表示用ゲートオン信号にして前記各ゲート線に対して順次供給し映像表示走査を実行する映像走査手段と、
　前記黒挿入映像信号の黒画像部分のみを前記画素に書き込ませるパルス幅の黒表示用ゲートオン信号にして前記各ゲート線に対して順次供給し黒画像表示走査を実行する黒走査手段とを備えると共に、
　前記ソース線駆動手段と前記映像走査手段と前記黒走査手段とを駆動制御するコントローラを設け、
　前記黒走査手段は、前記映像走査手段で同時に映像信号と黒画像信号の画素ラインが選択されることのない任意のタイミングで黒画像表示走査を開始する機能を有し、
　
前記コントローラが、ユーザの操作による外部入力されたタイミングデータに従って、前記映像走査手段への黒画像表示走査開始のタイミングを設定する黒挿入率設定部を備え、
　
さらに前記ソース線駆動手段が、前記ソース線への出力電荷を黒表示に応じた階調電荷にする機能を備える
（略）
【請求項９】
　複数のゲート線及び複数のソース線がそれぞれ交差し格子状に配置されこのゲート線とソース線との交点それぞれに画素が形成された構成の表示パネルと、前記複数の各ソース線に映像信号を供給するソース線駆動手段と、複数のゲート線を幾つかの群に分けたゲート線群それぞれに対して設けられ前記各ゲート線に対してゲートオン信号を順次供給する複数の映像走査手段と、出力イネーブル信号を前記各映像走査手段へ個別に供給する駆動制御部とを備えた画像表示装置の駆動方法であって、
　ライン画像部分と黒画像部分とが交互に含まれた黒挿入映像信号を前記ソース線駆動手段が前記各ソース線へ供給開始する黒挿入映像信号供給工程と、
　この黒挿入映像信号供給工程に同期して、前記ライン画像部分書込みのための映像用スタートパルスを映像走査手段が前記駆動制御部から入力する映像用スタートパルス入力工程と、前記黒挿入映像信号のライン画像部分のみを前記画素に書き込ませる映像表示用ゲートオン信号を前記各ゲート線に対して順次供給する映像表示走査を前記映像走査手段から順に実行する映像走査工程と、
　１つの映像走査手段で同時に映像信号と黒画像信号の画素ラインが選択されることのない任意のタイミングに前記黒画像部分書込みのための黒表示用スタートパルスを前記第１の映像走査手段が前記駆動制御部から入力する黒表示用スタートパルス入力工程と、前記黒挿入映像信号の黒画像部分のみを前記画素に書き込ませる黒表示用ゲートオン信号を前記各ゲート線に対して順次供給する黒画像表示走査を前記第１の映像走査手段から順に実行する黒走査工程とを設け、
　前記黒挿入映像信号は、表示用として入力される入力映像信号における表示時の繰り返しに必要なブランキング期間にも前記黒画像信号を維持するように
し、
　
ユーザの操作による外部入力されたタイミングデータに従って、前記映像走査手段への黒画像表示走査開始のタイミングを設定すると共に、
　
さらに前記黒挿入映像信号を前記各ソース線へ供給開始する前記黒挿入映像信号供給工程にあっては、一定間隔で出力電荷を前記黒表示に応じた階調電荷に切り替えながら入力映像信号をソース線へ出力する
（略）
【請求項１２】
　複数のゲート線及び複数のソース線がそれぞれ交差し格子状に配置されこのゲート線とソース線との交点それぞれに画素が形成された構成の表示パネルを備えた画像表示装置に装備され、
　前記複数のゲート線及び前記複数のソース線がそれぞれ交差し格子状に配置されこのゲート線とソース線との交点それぞれに画素が形成された構成の表示パネルにおける前記各ソース線に映像信号を供給するソース線駆動手段及び前記複数のゲート線を幾つかの群に分けたゲート線群それぞれに対して設けられ対応する各ゲート線にゲートオン信号を順次供給する映像走査手段の各動作を制御するコントローラ本体を備えた画像表示装置駆動用コントローラであって、
　ライン画像部分と黒画像部分とが交互に含まれた黒挿入映像信号を前記ソース線駆動手段から前記各ソース線へ出力させる機能と、
　出力イネーブル信号を前記各映像走査手段へ個別に供給し前記映像走査手段それぞれのゲート出力を独立して制御する機能と、
　前記ライン画像部分書込みのための映像用スタートパルスを第１の映像走査手段へ出力する機能と、
　前記黒画像部分書込みのための黒表示用スタートパルスを１映像フレーム期間内の任意のタイミングに前記第１の映像走査手段へ出力する機能と、
　
ユーザの操作による外部入力されたタイミングデータに従って、前記映像走査手段への黒画像表示走査開始のタイミングを設定する機能、とを実行させるようにし、
　
前記黒挿入映像信号を前記ソース線駆動手段から前記各ソース線へ出力させる機能にあっては、前記ソース線駆動手段が前記ソース線への出力電荷を黒表示に応じた階調電荷にする機能を有する
（略）」
（下線は補正箇所。）
　
２　本件補正の目的について
（１）本件補正は、
補正ア　請求項１において、本件補正前の「前記コントローラは、表示用として入力される入力映像信号における表示時の繰り返しに必要なブランキング期間にも前記黒画像信号を挿入した前記黒挿入映像信号を前記ソース線駆動手段へ出力する」という発明特定事項を削除し、「前記コントローラが、ユーザの操作による外部入力されたタイミングデータに従って、前記映像走査手段への黒画像表示走査開始のタイミングを設定する黒挿入率設定部を備え、さらに前記ソース線駆動手段が、前記ソース線への出力電荷を黒表示に応じた階調電荷にする機能を備える」という発明特定事項を追加する補正、
及び、
補正イ　本件補正前の請求項２２の「表示用として入力される入力映像信号における表示時の繰り返しに必要なブランキング期間にも前記黒画像信号を挿入した前記黒挿入映像信号を前記ソース線駆動手段へ出力する機能」という発明特定事項を削除し、「ユーザの操作による外部入力されたタイミングデータに従って、前記映像走査手段への黒画像表示走査開始のタイミングを設定する機能、とを実行させるようにし、前記黒挿入映像信号を前記ソース線駆動手段から前記各ソース線へ出力させる機能にあっては、前記ソース線駆動手段が前記ソース線への出力電荷を黒表示に応じた階調電荷にする機能を有する」という発明特定事項を追加した上で、請求項２２を請求項１２とする補正、
を含むものである。
　
（２）上記補正アにより、「前記コントローラは、表示用として入力される入力映像信号における表示時の繰り返しに必要なブランキング期間にも前記黒画像信号を挿入した前記黒挿入映像信号を前記ソース線駆動手段へ出力する」という発明特定事項が削除されている以上、上記補正アは、いわゆる特許請求の範囲の限定的減縮（特許法第１７条の２第５項第２号）を目的とするものとはいえない。 
　また、上記補正イにより、「表示用として入力される入力映像信号における表示時の繰り返しに必要なブランキング期間にも前記黒画像信号を挿入した前記黒挿入映像信号を前記ソース線駆動手段へ出力する機能」という発明特定事項が削除されている以上、上記補正イは、いわゆる特許請求の範囲の限定的減縮（特許法第１７条の２第５項第２号）を目的とするものとはいえない。
　
（３）上記補正ア及びイは、請求項の削除（特許法第１７条の２第５項第１号）、誤記の訂正（特許法第１７条の２第５項第３号）、及び明りようでない記載の釈明（特許法第１７条の２第５項第４号）を目的とするものともいえない。
　
３　むすび
　以上のとおり、上記補正ア及びイを含む本件補正は、特許法第１７条の２第５項の規定に違反するので、同法第１５９条第１項において読み替えて準用する同法第５３条第１項の規定により却下すべきものである。
　　
　　
第３　本願発明について
１　本願発明 
　本件補正は上記のとおり却下されたので、本願の請求項１ないし２８に係る発明は、補正１によって補正された明細書、特許請求の範囲及び図面の記載からみて、その特許請求の範囲の請求項１ないし２８に記載された事項により特定されるとおりのものと認められるところ、その請求項１に係る発明は次のとおりである。
　
「複数のゲート線及び複数のソース線がそれぞれ交差し格子状に配置されこのゲート線とソース線との交点それぞれに画素が形成された構成の表示パネルを備えた画像表示装置において、
　前記複数の各ソース線に対応してライン画像部分と黒画像部分を交互に含まれた黒挿入映像信号を前記各ソース線に出力するソース線駆動手段と、
　前記黒挿入映像信号のライン画像部分のみを前記画素に書き込ませるパルス幅の映像表示用ゲートオン信号にして前記各ゲート線に対して順次供給し映像表示走査を実行する映像走査手段と、
　前記黒挿入映像信号の黒画像部分のみを前記画素に書き込ませるパルス幅の黒表示用ゲートオン信号にして前記各ゲート線に対して順次供給し黒画像表示走査を実行する黒走査手段とを備えると共に、
　前記ソース線駆動手段と前記映像走査手段と前記黒走査手段とを駆動制御するコントローラを設け、
　前記黒走査手段は、前記映像走査手段で同時に映像信号と黒画像信号の画素ラインが選択されることのない任意のタイミングで黒画像表示走査を開始する機能を有し、
　前記コントローラは、表示用として入力される入力映像信号における表示時の繰り返しに必要なブランキング期間にも前記黒画像信号を挿入した前記黒挿入映像信号を前記ソース線駆動手段へ出力することを特徴とする画像表示装置。」（以下、「本願発明」という。）
　
２　原査定の拒絶の理由
　原査定の拒絶の理由は、概略、本願の各請求項に係る発明は、いずれも、優先日前に頒布された刊行物である特開２００６−１０６６８９号公報（以下、「引用例」という。）に記載された発明、及び周知技術に基づいて、当業者が容易に発明をすることができたものであるから、特許法第２９条第２項の規定により特許を受けることができない、というものである。
　
３　引用例記載の事項・引用発明
（１）記載事項
　原査定の拒絶の理由に引用された引用例には、液晶パネルの表示方法、液晶表示装置及び電子機器（発明の名称）に関し、次の事項（ａ）ないし（ｅ）が図面とともに記載されている。
　
（ａ）
「【００２５】
実施形態１．
　図１は本発明の実施形態１に係る表示装置の構成図である。この表示装置は、例えば液晶プロジェクタ等の電子機器に搭載されるものであり、映像信号処理回路１０、Ｄ／Ａ変換器１１、極性反転回路１２、ビデオアンプ１３、表示部１４及び制御部１５を備えている。ここで、映像信号処理回路１０、Ｄ／Ａ変換器１１、極性反転回路１２、ビデオアンプ１３、は本発明の映像信号処理部に相当する。表示部１４は、液晶セルアレイ１６、データ線駆動回路（ソースドライバ）１７及び行駆動回路（ゲートドライバ）１８から構成されている。液晶セルアレイ１６は例えばガラス基板等の透明基板が２枚貼り合わされ、その間に液晶材料が挾持された構造となっており、液晶セル（画素）のアクティブ素子として薄膜トランジスタ（ＴＦＴ）が設けられている。また、この液晶セルアレイ１６は図示しない光源からの光を変調し、その変調された光は共に図示しない投射部により拡大されスクリーンに表示される。
【００２６】
　制御部１５は、装置全体を制御するものであり、映像信号処理回路１０、Ｄ／Ａ変換器１１、極性反転回路１２、ビデオアンプ１３及び表示部１４に対してクロック信号や制御信号を供給して、装置全体を制御する。映像信号処理回路１０はデジタル映像信号（ビデオ信号）を取り込んで例えばγ補正等の各種の補正処理をして出力し、Ｄ／Ａ変換器１１はその補正処理された映像信号をアナログ信号に変換する。極性反転回路１２はアナログ信号に変換された映像信号を例えば１ライン毎に極性を反転させてビデオアンプ１３に出力する。ビデオアンプ１３は映像信号を増幅して表示部１４のデータ線駆動回路１７に出力する。制御部１５はデータ線駆動回路１７に対して水平開始信号、水平クロック信号、イネーブル信号及び固定レベル書込信号をそれぞれ供給し、行駆動回路１８に対して垂直開始信号１，２、垂直クロック信号及び行選択回路切替信号を供給する。表示部１４のデータ線駆動回路１７及び行駆動回路１８は後述のように液晶セルアレイ１６の液晶セルをそれぞれ制御する。」
　
（ｂ）
「【００２７】
　図２は表示部１４の詳細を示した回路図であり、図３は液晶セルアレイ１６の詳細図である。液晶セルアレイ１６は、マトリックス状の配置された液晶セルCH1V1，CH2V1，…CHmVnと、その液晶セルCH1V1，CH2V1，…CHmVnをそれぞれ駆動する薄膜トランジスタ（ＴＦＴ）TH1V1，TH2V1，…THmVnとから構成されている。薄膜トランジスタTH1V1，TH2V1，…THmVnの内、垂直方向に並んだ薄膜トランジスタTH1V1，TH1V2…を単位としてそのソースにはデータ線Ｄ１，Ｄ２，…Ｄｍがそれぞれ接続されており、また、水平方向に並んだ薄膜トランジスタTH1V1，TH2V1，…を単位としてそのゲートにはゲート線Ｇ１，Ｇ２，…Ｇｎが接続されている。データ線駆動回路１７は、データ線選択回路２１、アンド回路（アンドゲート）２２−１，２２−２，…２２−ｍ、オア回路（オアゲート）２３−１，２３−２，…２３−ｍ及びスイッチングトランジスタ２４−１，２４−２，…２４−ｍから構成されている。
【００２８】
　データ線選択回路２１は、例えばシフトレジスタから構成されており、水平開始信号を入力すると、水平開始信号を水平クロック信号に同期して出力端子QH1，QH2，…QHmに順次出力する。アンド回路２２−１，２２−２，…２２−ｍは、データ線選択回路２１の出力端子QH1，QH2，…QHmからの信号とイネーブル信号とのアンド論理をとって出力する（イネーブル信号によってゲートを開閉する）。オア回路２３−１，２３−２，…２３−ｍはアンド回路２２−１，２２−２，…２２−ｍの出力と固定レベル書込信号とを入力し、その出力をスイッチングトランジスタ２４−１，２４−２，…２４−ｍのゲートに供給し、スイッチングトランジスタ２４−１，２４−２，…２４−ｍがオンすると、ビデオ信号がデータ線Ｄ１，Ｄ２，…Ｄｍに順次供給されることになる。なお、上記の固定レベル書込信号はビデオ信号に含まれる、第１の所定の固定レベルにあたる黒レベルの信号及び第２の所定の固定レベルにあたるプリチャージレベルの信号をデータ線Ｄ１，Ｄ２，…Ｄｍに供給するためのタイミング信号である。プリチャージレベルは白レベルと黒レベルとの間で、使用する液晶セルアレイ１６の特性にあったレベルになっている。
【００２９】
　行駆動回路１８は、行選択回路２５，２６、アンド回路（アンドゲート）２７−１，２７−２，…２７−ｎ、２８−１，２８−２，…２８−ｎ、インバータ２９及びオア回路（オアゲート）３０−１，３０−２…３０−ｎから構成されている。行選択回路２５及び２６はシフトレジスタから構成されており、行選択回路（第１の行選択回路）２５には垂直開始信号１及び垂直クロック信号が供給され、垂直開始信号１を垂直クロック信号に同期して出力端子QV1，QV2，…QVnに順次出力する。行選択回路（第２の行選択回路）２６には垂直開始信号２及び垂直クロック信号が供給され、垂直開始信号２を垂直クロック信号に同期して出力端子QB1，QB2，…QBnに順次出力する。アンド回路２７−１，２７−２，…２７−ｎは行選択回路２５の出力と、行選択回路切替信号がインバータ２９により反転された信号とのアンド論理をとってオア回路３０−１，３０−２，…３０−ｎに出力する。アンド回路２８−１，２８−２，…２８−ｎは行選択回路２６の出力と、行選択回路切替信号とのアンド論理をとってオア回路３０−１，３０−２，…３０−ｎに出力する。」
　
（ｃ）
「【００３０】
　図４は図２及び図３の表示部１４の動作を示すタイミングチャートである。同図を参照しながら図２及び図３の表示部１４の動作を説明する。ビデオアンプ１３から供給されたビデオ信号には、有効なビデオ信号の他に、水平帰線期間に相当するタイミングで、黒レベルの信号及びプレチャージレベルの信号がそれぞれ含まれている。水平開始信号がデータ線選択回路２１に供給されると、データ線選択回路２１はその出力端子QH1，QH2，…QHmに水平開始信号のパルスを水平クロック信号に同期して順次出力する。アンド回路２２−１，２２−２，…２２−ｍは、データ線選択回路２１の出力とイネーブル信号とのアンド論理をとってオア回路２３−１，２３−２，…２３−ｍに出力する。オア回路２３−１，２３−２，…２３−ｍには、アンド回路２２−１，２２−２，…２２−ｍの出力の他に固定レベル書込信号が入力される。この固定レベル書込信号は、ビデオ信号の黒レベル及びプリチャージレベルの各信号に対応するタイミングのパルスからなる。したがって、オア回路２３−１，２３−２，…２３−ｍの出力Ｈ１，Ｈ２，…Ｈｍは、水平帰線期間における固定レベル書込信号のパルスと、その以外に時間帯域におけるアンド回路２２−１，２２−２，…２２−ｍの出力とからなる。オア回路２３−１，２３−２，…２３−ｍの出力Ｈ１，Ｈ２，…Ｈｍによりスイッチングトランジスタ２４−１，２４−２，…２４−ｍがスイッチオンし、ビデオ信号がデータ線Ｄ１，Ｄ２，…Ｄｍに供給されることになる。したがって、ビデオ信号の内、水平帰線期間の黒レベルの信号及びプリチャージレベルの信号は全てのデータ線Ｄ１，Ｄ２，…Ｄｍに同時に供給されるが、有効なビデオ信号はデータ線選択回路２１の出力に従ってデータ線Ｄ１，Ｄ２，…Ｄｍに順次供給されることになる。
【００３１】
　また、行選択回路２５には垂直開始信号１及び垂直クロック信号が供給され、垂直開始信号１を垂直クロック信号に同期して出力端子QV1，QV2，…QVnに順次出力する。行選択回路切替信号は上記のビデオ信号の黒レベルのタイミングで供給されているが、アンド回路２７−１，２７−２，…２７−ｎは、行選択回路２５の出力端子QV1，QV2，…QVnに現れた出力と行選択回路切替信号の反転信号とのアンド論理をとってオア回路３０−１，３０−２，…３０−ｎにそれぞれ出力する。これにより、行選択回路２５の出力及び行選択回路切替信号の反転信号がゲート線Ｇ１，Ｇ２，…Ｇｎにゲート電圧として順次供給されることとなり、薄膜トランジスタTH1V1，TH2V1，…THmVnが水平方向に走査されつつ垂直方向にも走査されて駆動されることにより、ビデオ信号（プリチャージレベルの信号及び有効なビデオ信号）が液晶セルCH1V1，CH2V2，…CHmVnに供給されて映像が描画されることになる。なお、有効なビデオ信号とは本来の表示対象となっている信号部分のビデオ信
号をいうものとする。
【００３２】
　また、行選択回路２６には垂直開始信号２及び垂直クロック信号が供給され、垂直開始信号２を垂直クロック信号に同期して出力端子QB1，QB2，…QBnに順次出力する。なお、この垂直開始信号２は、本実施形態１では垂直開始信号１に対して１フレーム周期の１／２遅れたタイミングで発生しているものとする。行選択回路切替信号は、上記のように、ビデオ信号の黒レベルのタイミングで供給されており、アンド回路２８−１，２８−２，…２８−ｎは、行選択回路２６の出力端子QB1，QB2，…QBnに現れた出力と行選択回路切替信号とのアンド論理をとってオア回路３０−１，３０−２，…３０−ｎにそれぞれ出力する。これにより、ゲート電圧がゲート線Ｇ１，Ｇ２，…Ｇｎに順次供給されることとなり、薄膜トランジスタTH1V1，TH2V1，…THmVnが水平方向に一括して走査されつつ垂直方向にも走査されて駆動されることにより、ビデオ信号（黒レベルの信号）が液晶セルCH1V1，CH2V2，…にCHmVnに供給されて黒色の映像が描画されることになる。
【００３３】
　以上のように、オア回路３０−１，３０−２，…３０−ｎは、行選択回路２５及び２６側からの信号をそれぞれ入力し、それを出力しているので、例えばオア回路３０−１の出力Ｖ１について着目すると、行選択回路２５の出力端子QV1からの垂直開始信号１に対応する信号が出力され、これによりゲート線Ｇ１にゲート電圧が供給されて薄膜トランジスタTH1V1〜THmV1が駆動状態になり、ビデオ信号（プリチャージレベルの信号及び有効なビデオ信号）が液晶セルCH1V1〜CHmV1に供給されて１ライン分の映像が描画されることになる。そして、このような処理がゲート線Ｇ２以降においても同様に繰り返されて映像が描画されていく。そして、１フレーム周期の１／２の時間が経過した状態で、オア回路３０−１の出力Ｖ１に着目すると、行選択回路切替信号に対応する信号が出力され、これによりゲート線Ｇ１にゲート電圧が供給され薄膜トランジスタTH1V1〜THmV1が同時に駆動状態になり、ビデオ信号（黒レベルの信号）が液晶セルCH1V1〜CHmV1に同時に供給されて１ライン分の映像として黒色が描画されることになる。このことは、液晶セルCH1V1〜CHmV1について着目すると、この１ラインについてプリチャージレベルの信号及び有効なビデオ信号が供給されて書き込みがなされた後、１フレーム周期の１／２の時間経過後には黒レベルの信号が一括して供給されて書き込みがなされることになる。このような処理がゲート線Ｇ２以降においても同様に繰り返される。その結果、図５に示されるような映像が得られる。」
　
（ｄ）
「【００４３】
実施形態３．
　なお、上記の実施形態１，２においては、垂直開始信号２を垂直開始信号１よりも１フレーム周期の１／２遅らせて、１画面の１／２に映像を表示する例について説明したが、本発明においては、垂直開始信号２の垂直開始信号１に対するタイミング遅延量を任意に設定することにより、ビデオ信号（有効ビデオ信号）による表示の割合を任意に設定することができる。例えば垂直開始信号２の垂直開始信号１に対するタイミングを１フレーム周期の１／３に設定すると、１画面の１／３に映像が表示されることになり、１フレーム周期の２／３に設定すると、１画面の２／３に映像が表示されることになる。なお、ビデオ信号（有効ビデオ信号）の表示時間が短い程動画ボケに対して効果があるが、表示時間が短い程映像が暗くなるので、実際には両者のバランスをとって垂直開始信号２の遅れ時間を決めることになる。上記の垂直開始信号２の垂直開始信号１に対する遅れ時間を例えば画像全体の動き量等に応じて自動的に調整する実施形態を実施形態４〜９として以下に説明する。」
　
（ｅ）「【００５５】
実施形態１１．
　また、液晶セルアレイ１６として、光源の光を利用して映像表示を行う透過型の例について説明したが、反射板を備え、外部からの入射光を利用して映像表示を行う反射型や、表示パネルの内面に半透過板を設け、なおかつバックライトの光により反射型と透過型両方の特性を利用して映像表示を行う半透過反射型にも本発明を適用可能である。そして、スクリーンに映像を投影するものでなく、表示パネルを直視するものにも本発明は適用可能である。」
　
・【図２】及び【図３】より、液晶アレイセルには、複数のゲート線（Ｇ１，Ｇ２，‥‥Ｇｎ）及び複数のデータ線（Ｄ１，Ｄ２，‥‥Ｄｍ）がそれぞれ交差し格子状に配置され、そのゲート線とデータ線との交点それぞれに、薄膜トランジスタ（ＴＦＴ）をアクティブ素子とする液晶セル（画素）が形成されていることが見て取れる。
　よって、上記記載（ａ）、（ｂ）、（ｄ）、及び（ｅ）、並びに【図１】ないし【図３】より、
ア　「複数のゲート線（Ｇ１，Ｇ２，‥‥Ｇｎ）及び複数のデータ線（Ｄ１，Ｄ２，‥‥Ｄｍ）がそれぞれ交差し格子状に配置されこのゲート線とデータ線との交点それぞれに薄膜トランジスタにより駆動される液晶セルである画素が形成された構成の表示パネルを備えた画像表示装置」との技術的事項が読み取れる。
　
・【図４】より、データ線駆動回路１７に供給されるビデオ信号には、プリチャージレベルの信号及び有効なビデオ信号と黒レベルの信号が交互に含まれていることが見て取れる。また、【図２】から、データ線駆動回路１７を構成するスイッチングトランジスタ（２４−１，２４−２，‥‥２４−ｍ）が複数のデータ線（Ｄ１，Ｄ２，‥‥Ｄｍ）の各々に対応して設けられ、ビデオ信号が、各スイッチングトランジスタ（２４−１，２４−２，‥‥２４−ｍ）から各データ線（Ｄ１，Ｄ２，‥‥Ｄｍ）に供給されることが見て取れる。
　よって、上記記載（ｂ）及び（ｃ）、並びに【図２】ないし【図４】より、
イ　「複数の各データ線に対応してプリチャージレベルの信号及び有効なビデオ信号と黒レベルの信号が交互に含まれたビデオ信号を各データ線に供給するデータ線駆動回路１７」との技術的事項が読み取れる。
　
・段落【００３１】及び【図４】より、行選択回路切替信号がビデオ信号の黒レベルのタイミングで供給され、行選択回路２５の出力端子ＱＶ１，ＱＶ２，‥‥ＱＶｎに現れた出力と行選択回路切替信号の反転信号とのアンド論理からなるゲート電圧Ｖ１，Ｖ２，‥‥Ｖｎがゲート線Ｇ１，Ｇ２，‥‥Ｇｎに順次供給され、垂直方向に走査されて、映像が描画されるが、そのゲート電圧Ｖ１，Ｖ２，‥‥Ｖｎのパルス幅が、プリチャージレベルの信号及び有効なビデオ信号のみが液晶セルＣＨ１Ｖ１，ＣＨ２Ｖ２，‥‥ＣＨｍＶｎに供給されるパルス幅とされていることが見て取れる。
　よって、上記記載（ｂ）及び（ｃ）、並びに【図２】ないし【図４】より、
ウ　「行選択回路２５の出力を、ビデオ信号のプリチャージレベルの信号及び有効なビデオ信号のみを画素に書き込ませるパルス幅のゲート電圧信号にして各ゲート線に対して順次供給し映像描画走査を実行する、行選択回路２５、アンド回路２７−１〜２７−ｎ、インバータ２９、及びオア回路３０−１〜３０−ｎからなる映像描画用走査回路」との技術的事項が読み取れる。
　
・また、段落【００３２】及び【図４】より、行選択回路切替信号がビデオ信号の黒レベルのタイミングで供給され、行選択回路２６の出力端子ＱＢ１，ＱＢ２，‥‥ＱＢｎに現れた出力と行選択回路切替信号とのアンド論理からなるゲート電圧Ｖ１，Ｖ２，‥‥Ｖｎがゲート線Ｇ１，Ｇ２，‥‥Ｇｎに順次供給され、垂直方向に走査されて、黒色の映像が描画されるが、そのゲート電圧Ｖ１，Ｖ２，‥‥Ｖｎのパルス幅が、黒レベルの信号のみが液晶セルＣＨ１Ｖ１，ＣＨ２Ｖ２，‥‥ＣＨｍＶｎに供給されるパルス幅とされていることが見て取れる。
　よって、上記記載（ｂ）及び（ｃ）、並びに【図２】ないし【図４】より、
エ　「行選択回路２６の出力を、ビデオ信号の黒レベルの信号のみを画素に書き込ませるパルス幅のゲート電圧信号にして各ゲート線に対して順次供給し黒色映像描画走査を実行する、行選択回路２６、アンド回路２８−１〜２８−ｎ、及びオア回路３０−１〜３０−ｎからなる黒色映像描画用走査回路」との技術的事項が読み取れる。
　
・上記記載（ａ）ないし（ｃ）、並びに【図１】ないし【図４】より、
オ　「データ線駆動回路１７と映像描画用走査回路と黒色映像描画用走査回路とを駆動制御する制御部１５」との技術的事項が読み取れる。
　
・上記記載（ｄ）より、黒色映像描画用走査回路は、任意のタイミングで黒色映像描画走査を開始していることが読み取れ、また、上記記載（ｃ）、（ｄ）及び【図４】より、黒色映像描画用走査回路と映像描画用走査回路とでプリチャージレベルの信号及び有効なビデオ信号の供給される画素ラインと黒レベルの信号の供給される画素ラインとが同時には選択されていないことが読み取れるから、これらより、
カ　「黒色映像描画用走査回路は、映像描画用走査回路と同時にプリチャージレベルの信号及び有効なビデオ信号の供給される画素ラインと黒レベルの信号の供給される画素ラインが選択されることのない任意のタイミングで黒色映像描画走査を開始する機能を有する」との技術的事項が読み取れる。
　
（２）引用発明
　以上の技術的事項アないしカを総合勘案すると、引用例には次の発明が記載されているものと認められる。
　
「複数のゲート線（Ｇ１，Ｇ２，‥‥Ｇｎ）及び複数のデータ線（Ｄ１，Ｄ２，‥‥Ｄｍ）がそれぞれ交差し格子状に配置されこのゲート線とデータ線との交点それぞれに薄膜トランジスタにより駆動される液晶セルである画素が形成された構成の表示パネルを備えた画像表示装置において、
　前記複数の各データ線に対応してプリチャージレベルの信号及び有効なビデオ信号と黒レベルの信号が交互に含まれたビデオ信号を前記各データ線に供給するデータ線駆動回路１７と、
　行選択回路２５の出力を、前記ビデオ信号のプリチャージレベルの信号及び有効なビデオ信号のみを前記画素に書き込ませるパルス幅のゲート電圧信号にして前記各ゲート線に対して順次供給し映像描画走査を実行する、行選択回路２５、アンド回路２７−１〜２７−ｎ、インバータ２９、及びオア回路３０−１〜３０−ｎからなる映像描画用走査回路と、
　行選択回路２６の出力を、前記ビデオ信号の黒レベルの信号のみを前記画素に書き込ませるパルス幅のゲート電圧信号にして前記各ゲート線に対して順次供給し黒色映像描画走査を実行する、選択回路２６、アンド回路２８−１〜２８−ｎ、及びオア回路３０−１〜３０−ｎからなる黒色映像描画用走査回路とを備えると共に、
　前記データ線駆動回路１７と前記映像描画用走査回路と前記黒色映像描画用走査回路とを駆動制御する制御部１５を設け、
　前記黒色映像描画用走査回路は、前記映像描画用走査回路と同時にプリチャージレベルの信号及び有効なビデオ信号の供給される画素ラインと黒レベルの信号の供給される画素ラインが選択されることのない任意のタイミングで黒色映像描画走査を開始する機能を有することを特徴とする画像表示装置。」（以下、「引用発明」という。） 
　
４　対比  
　本願発明と引用発明とを、主たる構成要件毎に、順に対比する。
　
（１）引用発明における「データ線」は、引用例の段落【００２５】に「データ線駆動回路（ソースドライバ）１７」と記載されているとおり、本願発明における「ソース線」に相当するから、引用発明における「複数のゲート線（Ｇ１，Ｇ２，‥‥Ｇｎ）及び複数のデータ線（Ｄ１，Ｄ２，‥‥Ｄｍ）がそれぞれ交差し格子状に配置されこのゲート線とデータ線との交点それぞれに薄膜トランジスタにより駆動される液晶セルである画素が形成された構成の表示パネルを備えた画像表示装置」は、本願発明における「複数のゲート線及び複数のソース線がそれぞれ交差し格子状に配置されこのゲート線とソース線との交点それぞれに画素が形成された構成の表示パネルを備えた画像表示装置」に相当する。
　
（２）引用発明における「プリチャージレベルの信号及び有効なビデオ信号」も、本願発明の「ライン画像部分」も、共に、映像を描画させるための信号部分である点で共通する。また、引用発明における「黒レベルの信号」は、黒色の映像を描画させる信号部分であるから、本願発明における「黒画像部分」に相当する。さらに、黒レベルの信号を含むビデオ信号は、「黒挿入映像信号」であるといえる。
　そうすると、引用発明における「前記複数の各データ線に対応してプリチャージレベルの信号及び有効なビデオ信号と黒レベルの信号が交互に含まれたビデオ信号を前記各データ線に供給するデータ線駆動回路１７」も、本願発明における「前記複数の各ソース線に対応してライン画像部分と黒画像部分を交互に含まれた黒挿入映像信号を前記各ソース線に出力するソース線駆動手段」も、共に、「前記複数の各ソース線に対応して映像を描画させるための信号部分と黒画像部分を交互に含まれた黒挿入映像信号を前記各ソース線に出力するソース線駆動手段」である点で共通する。
　
（３）引用発明における「ゲート電圧信号」は、本願発明における「表示用ゲートオン信号」に相当し、また、上記（２）の対応関係を踏まえると、引用発明における「行選択回路２５の出力を、前記ビデオ信号のプリチャージレベルの信号及び有効なビデオ信号のみを前記画素に書き込ませるパルス幅のゲート電圧信号にして前記各ゲート線に対して順次供給し映像描画走査を実行する、行選択回路２５、アンド回路２７−１〜２７−ｎ、インバータ２９、及びオア回路３０−１〜３０−ｎからなる映像描画用走査回路」も、本願発明における「前記黒挿入映像信号のライン画像部分のみを前記画素に書き込ませるパルス幅の映像表示用ゲートオン信号にして前記各ゲート線に対して順次供給し映像表示走査を実行する映像走査手段」も、共に、「前記黒挿入映像信号の映像を描画させるための信号部分のみを前記画素に書き込ませるパルス幅の映像表示用ゲートオン信号にして前記各ゲート線に対して順次供給し映像表示走査を実行する映像走査手段」である点で共通する。
　
（４）引用発明における「ゲート電圧信号」は、本願発明における「表示用ゲートオン信号」に相当し、また、上記（２）の対応関係を踏まえると、引用発明における「行選択回路２６の出力を、前記ビデオ信号の黒レベルの信号のみを前記画素に書き込ませるパルス幅のゲート電圧信号にして前記各ゲート線に対して順次供給し黒色映像描画走査を実行する、選択回路２６、アンド回路２８−１〜２８−ｎ、及びオア回路３０−１〜３０−ｎからなる黒色映像描画用走査回路」は、本願発明における「前記黒挿入映像信号の黒画像部分のみを前記画素に書き込ませるパルス幅の黒表示用ゲートオン信号にして前記各ゲート線に対して順次供給し黒画像表示走査を実行する黒走査手段」に相当する。
　
（５）上記（２）ないし（４）の対応関係を踏まえると、引用発明における「前記データ線駆動回路１７と前記映像描画用走査回路と前記黒色映像描画用走査回路とを駆動制御する制御部１５」は、本願発明における「前記ソース線駆動手段と前記映像走査手段と前記黒走査手段とを駆動制御するコントローラ」に相当する。
　
（６）上記（２）ないし（５）の対応関係を踏まえると、引用発明における「前記黒色映像描画用走査回路は、前記映像描画用走査回路と同時にプリチャージレベルの信号及び有効なビデオ信号の供給される画素ラインと黒レベルの信号の供給される画素ラインが選択されることのない任意のタイミングで黒色映像描画走査を開始する機能を有」することも、本願発明における「前記黒走査手段は、前記映像走査手段で同時に映像信号と黒画像信号の画素ラインが選択されることのない任意のタイミングで黒画像表示走査を開始する機能を有」することも、共に、「前記黒走査手段は、前記映像走査手段で同時に映像を描画させるための信号と黒画像信号の画素ラインが選択されることのない任意のタイミングで黒画像表示走査を開始する機能を有」する点で共通する。
　
（７）以上の関係を整理すると、両者の一致点及び相違点は、以下の通りである。
　
（一致点） 
「複数のゲート線及び複数のソース線がそれぞれ交差し格子状に配置されこのゲート線とソース線との交点それぞれに画素が形成された構成の表示パネルを備えた画像表示装置において、
　前記複数の各ソース線に対応して映像を描画させるための信号部分と黒画像部分を交互に含まれた黒挿入映像信号を前記各ソース線に出力するソース線駆動手段と、
　前記黒挿入映像信号の映像を描画させるための信号部分のみを前記画素に書き込ませるパルス幅の映像表示用ゲートオン信号にして前記各ゲート線に対して順次供給し映像表示走査を実行する映像走査手段と、
　前記黒挿入映像信号の黒画像部分のみを前記画素に書き込ませるパルス幅の黒表示用ゲートオン信号にして前記各ゲート線に対して順次供給し黒画像表示走査を実行する黒走査手段とを備えると共に、
　前記ソース線駆動手段と前記映像走査手段と前記黒走査手段とを駆動制御するコントローラを設け、
　前記黒走査手段は、前記映像走査手段で同時に映像を描画させるための信号と黒画像信号の画素ラインが選択されることのない任意のタイミングで黒画像表示走査を開始する機能を有することを特徴とする画像表示装置。」
　
（相違点） 
・相違点１：「映像を描画させるための信号部分」に関し、本願発明では、「ライン画像部分」であるのに対し、引用発明では、「プリチャージレベルの信号及び有効なビデオ信号」である点。
　
・相違点２：本願発明では、「前記コントローラは、表示用として入力される入力映像信号における表示時の繰り返しに必要なブランキング期間にも前記黒画像信号を挿入した前記黒挿入映像信号を前記ソース線駆動手段へ出力する」のに対し、引用発明では、制御部１５がそのような動作を行っているのかが明らかでない点。
　
５　判断
（１）相違点１について 
　引用発明におけるプリチャージレベルの信号は、液晶パネルの画素に有効な映像信号の書き込みが確実に行われるように、あらかじめ書き込んでおくレベルの信号である（引用例の段落【００１１】を参照。）以上、画素への有効な映像信号の書き込みにどの程度の確実性が要求されるかに応じて、当業者が適宜省略することができる信号であると認められるから、引用発明において、画素への有効な映像信号の書き込みにどの程度の確実性が要求されるかに応じて、映像を描画させるための信号部分において、プリチャージレベルの信号を省略し、有効なビデオ信号のみとして、上記相違点１に係る構成を得ることは、当業者であれば容易になし得ることである。
　
（２）相違点２について
ア　技術事項
　原査定の拒絶の理由に引用され、優先日前に頒布された刊行物である特開２００１−１８４０３４号公報（以下、「引用例２」という。）には、
「【０２１１】この実施形態においても、上述した第２６の実施形態と同様の効果を得ることができる。
（液晶表示装置の制御方法の第１４の実施形態）図６０は、この実施形態で使用されるＴＦＴ駆動液晶表示装置の概要を示している。
【０２１２】この実施形態は、請求項３２ないし請求項３４に対応している。第１の実施形態と同一の要素については、同一の符号を付し、これ等については、詳細な説明を省略する。この液晶表示装置は、マトリックス状に配置されたＴＦＴおよび液晶セルＣを有する液晶パネルＡを備えている。走査線G1、G2、...、Gnは、Ｙドライバ（ゲートドライバ）１４から出力されるゲート信号を伝達する信号線である。信号線D1、D2、...、Dmは、Ｘドライバ（データドライバ）１６から出力されるデータ信号を伝達する信号線である。Ｙドライバ１４、Ｘドライバ１６は、制御回路１８により制御されている。制御回路１８は、外部から表示データおよびクロックを受けている。制御回路１８は、Ｙドライバ１４に、走査開始信号GSTR、クロック信号GCLK、表示データを書き込むためのゲート信号制御信号DTGOE、およびリセットデータ（黒データ）を書き込むためのゲート信号制御信号BLGOEを出力している。制御回路１８は、Ｘドライバ１６に、１ライン分の表示データDISP、および表示データの出力タイミングを制御するドライバ出力制御信号LPを出力している。
【０２１３】図６１は、制御回路１８の詳細を示している。制御回路１８は、データ取込部１８ａ、データドライバ制御部１８ｂ、ゲートドライバ制御部１８ｃ、ゲート走査ライン判定部１８ｄ、GOE作成部１８ｅ、ゲート走査条件記憶部１８ｆ、非走査期間判定部１８ｇ、および非走査期間記憶部１８ｈを有している。
【０２１４】データ取込部１８ａは、表示データおよびクロックを取り込み、取り込んだ信号をデータドライバ１８ｂおよびゲートドライバ制御部１８ｃに出力している。データドライバ制御部１８ｂは、表示データDISPおよびドライバ出力制御信号LPを生成している。ゲートドライバ制御部１８ｃは、GOE生成部１８ｅで生成されるゲート信号制御信号DTGOEおよびゲート信号制御信号BLGOEの元になるタイミング信号を受け、ゲート信号制御信号DTGOEおよびゲート信号制御信号BLGOEを出力している。ゲート走査ライン判定部１８ｄは、表示データの書き込み開始から1/2フレームが走査されたことを検出し、この後、ゲートドライバ制御部１８ｃを制御して、黒データを書き込むためのゲート信号制御信号BLGOEを出力させる。
【０２１５】ゲート走査条件記憶部１８ｆは、前回のフレームにおけるゲート信号の走査条件を記憶している。非走査期間判定部１８ｇは、表示データを書き込む最終の走査線の走査からフレームの終了までの期間である非走査期間において、ゲート信号を何回走査可能かをカウントする。非走査期間記憶部１８ｈは、非走査期間判定部１８ｇにおいてカウントされた値を記憶する。
【０２１６】ゲートドライバ制御部１８ｃおよびデータドライバ制御部１８ｂは、表示データを書き込む最終の走査線の走査後、非走査期間判定部１８ｇの制御を受けて、非走査期間記憶部１８ｈに記憶されている値だけ、黒データを書き込むように動作する。液晶パネルＡの表示については、後述する図６３で詳細に説明する。図６２は、制御回路１８の動作を示している。
【０２１７】まず、一水平期間の開始時に、ドライバ出力制御信号LPが１回出力される。ドライバ出力制御信号LPの立ち下がりで表示データDOUTがラッチされ、その後ドライバ出力制御信号LPの低レベルの期間、表示データDOUTが出力される。ドライバ出力制御信号LPの高レベルの期間、黒データDOUTが出力される。ここで、黒データの電圧は、表示データを生成する交流電源の中心電圧（VDD/2）にされている。
【０２１８】ゲート信号制御信号DTGOEは、ドライバ出力制御信号LPの低レベル期間に低レベルになり、ゲート信号制御信号BLGOEは、ドライバ出力制御信号LPの高レベル期間に低レベルになる。制御回路１８の内部で生成される基本ゲート信号GOUTの高レベルとゲート信号制御信号BLGOEの低レベルとから黒データを書き込むゲート信号Gn(BL)が生成される。同様に、基本ゲート信号GOUTの高レベルとゲート信号制御信号DTGOEの低レベルとから表示データを書き込むゲート信号Gn(DT)が生成される。そして、ゲート信号Gn(BL)に同期して黒データ（DOUT）が書き込まれ、書き込むゲート信号Gn(DT)に同期して表示データ（DOUT）が書き込まれる。すなわち、本実施形態の制御回路１８では、一水平期間に、表示データだけでなく黒データを出力（２値を出力）できる。
【０２１９】図６３は、液晶パネルＡの動作を示している。１フレームの期間に走査線G1-Gnが順次に走査され、表示データが書き込まれる。表示データの書き込みから1/2フレーム後に、走査線G1-Gnが再び順次に走査され、黒データ(B)が書き込まれる。すなわち、インパルス駆動が行われる。黒データは、上述したように、ドライバ出力制御信号LPの高レベル期間に出力されるデータDOUTを使用して書き込まれる。
【０２２０】制御回路１８は、非走査期間においても、走査線G1-Gnを順次に走査し、黒データを書き込む制御をする。このため、表示データが表示されている表示データ保持期間T1は、常に一定になる。破線でしめしたパルスは、従来、黒データを書き込んでいたタイミングである。この場合、表示データ保持時間T1は液晶パネルの上側と下側とで異なっていた。
【０２２１】図６４（ａ）は、本発明を適用した液晶表示装置の表示の概要を示している。表示データと黒データの表示期間は常に一定になっている。図６４（ｂ）は、従来の液晶表示装置の表示の概要を示している。画面の中央を境に、表示データと黒データの表示期間が変わるため、画面の上側と下側とで輝度が異なってしまう。すなわち、表示むらが発生する。
【０２２２】以上、本発明の液晶表示装置の制御方法では、一水平周期中に、表示データと黒データの２値を出力し、インパルス駆動を行った。このため、動画像のぼけを軽減でき、フリッカーの発生を防止できる。黒データを、非走査期間にも順次書き込んだ。このため、液晶パネルＡにおける表示データの明るさを均一にでき、表示むらの発生を防止できる。
【０２２３】また、表示データを生成する従来のデータドライバをそのまま流用してインパルス駆動が可能である。」
と記載されている。
　また、【図６０】、【図６１】及び【図６２】より、制御回路１８のデータドライバ制御部１８ｂよりＸドライバ１６に出力される表示データDOUT（DISP）としては、ドライバ出力制御信号LPが低レベルの期間、表示データDOUTが出力され、ドライバ出力制御信号LPが高レベルの期間、黒データDOUTが出力されていると認められる。
　よって、引用例２には、次の技術事項が記載されているものと認められる。
「制御回路１８は、Ｘドライバ１６に、１ライン分の表示データDISP、および表示データの出力タイミングを制御するドライバ出力制御信号LPを出力し、一水平期間の開始時に、ドライバ出力制御信号LPが１回出力され、ドライバ出力制御信号LPの低レベルの期間、表示データDOUTが出力され、ドライバ出力制御信号LPの高レベルの期間、黒データDOUTが出力され、制御回路１８は、表示データを書き込む最終の走査線の走査からフレームの終了までの期間である非走査期間においても黒データを書き込む制御をし、黒データは、ドライバ出力制御信号LPの高レベル期間に出力されるデータDOUTを使用して書き込まれ、表示データと黒データの表示期間を常に一定にして、動画像のボケを軽減するとともに、表示むらの発生を防止した、液晶表示装置」
　ここで、上記技術事項における「表示データを書き込む最終の走査線の走査からフレームの終了までの期間である非走査期間」は、本願発明の「表示用として入力される入力映像信号における表示時の繰り返しに必要なブランキング期間」に相当する。
　
イ　上記技術事項を踏まえて、以下検討する。
　液晶表示装置において引用例２に記載されたような「表示データを書き込む最終の走査線の走査からフレームの終了までの期間である非走査期間」、すなわち「ブランキング期間」のある映像信号を用いることは、普通に知られている（例えば、特開２００６-１８９６５８号公報の段落【００７４】の「通常、一般的な液晶パネル１８の駆動信号は、水平及び垂直ブランキング期間を有している」という記載、特開２００４−１２６２９３号公報の【図２】の記載などを参照のこと。）。また、引用例に「このような動画表示に残像があると、所謂動画ボケが起こって表示品位が低下する」（段落【０００２】）、「本発明において、上記の第１の所定の固定レベルとは黒レベル又はそれに準ずるレベルをいうものとし、残像を防止するためのものである」（段落【０００６】）と記載されている。そうすると、引用発明と引用例２に記載された技術とは、「所謂動画ボケ」を防止するために黒レベルの信号を書き込む技術である点で共通するから、引用発明に引用例２に記載された技術を適用し、引用発明において、「ブランキング期間」のある映像信号を用い、「ブランキング期間」においても、制御部１５が、所定期間に黒レベルの信号が含まれたビデオ信号をデータ線駆動回路１７に出力し、黒レベルの信号を書き込む制御を行うようにして、上記相違点２の構成とすることは、当業者が容易になし得たことである。
　
（３）そして、本願発明の作用効果も、引用発明及び上記技術事項から当業者が予測可能なものであって格別のものではない。
　
６　むすび
　以上のとおり、本願発明は、引用発明及び上記技術事項に基づいて当業者が容易に発明をすることができたものであるから、特許法第２９条第２項の規定により特許を受けることができない。
　したがって、他の請求項に係る発明について審理するまでもなく、本願は拒絶すべきものである。
　よって、結論のとおり審決する。